(57)【要約】【課題】機種が異なる複数の電子機器に対して共通に使用することができ使い勝手を高める上で有利なクレードルを提供する。【解決手段】クレードル３０は装着部３２を備え、装着部３２は、第１乃至第３の３つの撮像装置１０Ａ、１０Ｂ、１０Ｃの底面１２Ｄが載置される載置面３４と、載置面３４に設けられ各撮像装置１０Ａ、１０Ｂ、１０Ｃの電子機器側コネクタ２２に脱着可能に接続されるクレードル側コネクタ３６と、装着部３２に設けられ第１乃至第３の３つの撮像装置１０Ａ、１０Ｂ、１０Ｃに当接可能で載置面３４上における第１乃至第３の３つの撮像装置１０Ａ、１０Ｂ、１０Ｃの位置決め基準箇所となる複数の位置決め部材３８とを備えている。複数の位置決め部材３８の少なくとも一つは、少なくとも異なった第１の位置Ｐ１と第２の位置Ｐ２とに移動可能な可動式位置決め部材４０として設けられている。【選択図】図１
2008166951.tif 000002
【特許請求の範囲】
【請求項１】
前記電子機器の底部が装着される装着部を備え、
前記装着部は、
前記電子機器の底面が載置される載置面と、
前記載置面に設けられ前記電子機器の電子機器側コネクタに脱着可能に接続されるクレードル側コネクタと、
前記装着部に設けられ前記電子機器に当接可能で前記載置面上における前記電子機器の位置決め基準箇所となる複数の位置決め部材とを備え、
前記複数の位置決め部材の少なくとも一つは、少なくとも異なった第１の位置と第２の位置とに移動可能な可動式位置決め部材として設けられている、
ことを特徴とするクレードル。
【請求項２】
前記位置決め部材は、
前記載置面上において前記電子機器の前後方向の位置決め基準箇所となる前後方向位置決め部材と、
前記載置面上において前記電子機器の左右方向の位置決め基準箇所となる左右方向位置決め部材と、
を含んでいることを特徴とする請求項１記載のクレードル。
【請求項３】
前記可動式位置決め部材を前記第１の位置と前記第２の位置とに選択的に位置させる切り換え機構を備える、
ことを特徴とする請求項１記載のクレードル。
【請求項４】
前記可動式位置決め部材を除いた複数の前記位置決め部材は、前記装着部に固定して設けられた固定式位置決め部材として設けられ、
前記可動式位置決め部材は、前記第１の位置で複数の前記固定式位置決め部材で定まる前記電子機器の輪郭の内側に位置し複数の前記固定式位置決め部材の少なくとも一つに代わって位置決め基準箇所となり、前記第２の位置で前記輪郭の外側に退避する、
ことを特徴とする請求項１記載のクレードル。
【請求項５】
前記可動式位置決め部材を除いた複数の前記位置決め部材は、
前記装着部に固定して設けられ前記載置面上において前記電子機器の前後面にそれぞれ当接可能で前後方向の位置決め基準箇所となる固定式前後方向位置決め部材と、
前記装着部に固定して設けられ前記載置面上において前記電子機器の左右方向の位置決め基準箇所となる固定式左右方向位置決め部材とを含み、
前記可動式位置決め部材は、前記第１の位置で前記固定式左右方向位置決め部材で定まる前記電子機器の左右方向の輪郭の内側に位置し前記固定式左右方向位置決め部材に代わって左右方向の位置決め基準箇所となり、前記第２の位置で前記輪郭の外側に退避する、
ことを特徴とする請求項１記載のクレードル。
【請求項６】
前記可動式位置決め部材を除いた複数の前記位置決め部材は、
前記装着部に固定して設けられ前記載置面上において前記電子機器の前後面にそれぞれ当接可能で前後方向の位置決め基準箇所となる固定式前後方向位置決め部材と、
前記装着部に固定して設けられ前記載置面上において前記電子機器の左右方向の位置決め基準箇所となる固定式左右方向位置決め部材とを含み、
前記可動式位置決め部材は、
前記第１の位置で前記固定式左右方向位置決め部材で定まる前記電子機器の左右方向の輪郭の内側に位置し前記固定式左右方向位置決め部材に代わって左右方向の位置決め基準箇所となり、
前記第２の位置で前記固定式前後方向位置決め部材で定まる前記電子機器の前後方向の輪郭の内側に位置し前記固定式前後方向位置決め部材に代わって前後方向の位置決め基準箇所となる、
ことを特徴とする請求項１記載のクレードル。
【請求項７】
前記可動式位置決め部材を除いた複数の前記位置決め部材は、
前記装着部に固定して設けられ前記載置面上において前記電子機器の前面の位置決め基準となる固定式前位置決め部材と、
前記装着部に固定して設けられ前記載置面上において前記電子機器の左右方向の位置決め基準箇所となる固定式左右方向位置決め部材とを含み、
前記可動式位置決め部材は、前記第１の位置で前記固定式前位置決め部材で定まる前記電子機器の前面の輪郭の内側に位置し前記固定式前位置決め部材に代わって前記電子機器の前面の位置決め基準箇所となり、前記第２の位置で前記輪郭の外側に退避する、
ことを特徴とする請求項１記載のクレードル。
【請求項８】
前記複数の位置決め部材は、
前記装着部に固定して設けられ前記載置面上において前記電子機器の後面の位置決め基準となる固定式後位置決め部材を含んでいる、
ことを特徴とする請求項７記載のクレードル。
【請求項９】
前記クレードルは、前記載置面が設けられた筐体と、前記可動式位置決め部材を前記第１の位置と前記第２の位置とに選択的に位置させる切り換え機構を備え、
前記切り換え機構は、前記載置面に設けられた切り換え操作用のつまみと、前記筐体の内部に設けられ前記つまみと前記可動式位置決め部材とを連結する連結機構とを含んで構成され、
前記つまみが、互いに異なった第３の位置と第４の位置とに移動操作されることで前記可動式位置決め部材が前記第１の位置と前記第２の位置とに選択的に位置し、
前記可動式位置決め部材を除いた複数の前記位置決め部材は、前記装着部に固定して設けられた固定式位置決め部材として設けられ、
前記つまみは、前記第３の位置で複数の前記固定式位置決め部材で定まる前記電子機器の輪郭の内側に位置し複数の前記固定式位置決め部材の少なくとも一つに代わって位置決め基準箇所となり、前記第４の位置で前記輪郭の外側に退避する、
ことを特徴とする請求項１記載のクレードル。
【請求項１０】
前記クレードルは、前記載置面が設けられた筐体と、前記可動式位置決め部材を前記第１の位置と前記第２の位置とに選択的に位置させる切り換え機構を備え、
前記切り換え機構は、前記載置面に設けられた切り換え操作用のつまみと、前記筐体の内部に設けられ前記つまみと前記可動式位置決め部材とを連結する連結機構とを含んで構成され、
前記つまみが、互いに異なった第３の位置と第４の位置とに移動操作されることで前記可動式位置決め部材が前記第１の位置と前記第２の位置とに選択的に位置し、
前記可動式位置決め部材を除いた複数の前記位置決め部材は、
前記装着部に固定して設けられ前記載置面上において前記電子機器の前後面にそれぞれ当接可能で前後方向の位置決め基準箇所となる固定式前後方向位置決め部材と、
前記装着部に固定して設けられ前記載置面上において前記電子機器の左右方向の位置決め基準箇所となる固定式左右方向位置決め部材とを含み、
前記つまみは、前記第４の位置で前記固定式前後方向位置決め部材で定まる前記電子機器の前後方向の輪郭の内側に位置し前記固定式前後方向位置決め部材の少なくとも一つに代わって前後方向の位置決め基準箇所となり、前記第３の位置で前記輪郭の外側に退避する、
ことを特徴とする請求項１記載のクレードル。
【請求項１１】
前記位置決め部材が前記電子機器に当接する箇所は、前記電子機器の筐体よりも柔らかくかつ摺動性を有する材料で形成されている、
ことを特徴とする請求項１記載のクレードル。
【請求項１２】
前記クレードルは筐体を備え、
前記筐体の上面に凹部が設けられ、
前記載置面は前記凹部の底面で構成され、
前記載置面の周囲から、前記凹部を構成する壁面が起立しており、
前記壁面は、前記載置面の前縁から起立する前壁面を有し、
前記可動式位置決め部材を除いた複数の前記位置決め部材は、前記前壁面に固定して設けられ前記載置面上において前記電子機器の前面または後面の一方に当接可能で前方向の位置決め基準箇所となる固定式前位置決め部材と、前記装着部に固定して設けられ前記載置面上において前記電子機器の前面または後面の他方に当接可能で後方向の位置決め基準箇所となる固定式後位置決め部材と、前記装着部に固定して設けられ前記載置面上において前記電子機器の左右方向の位置決め基準箇所となる固定式左右方向位置決め部材とを含み、
前記クレードル側コネクタは、前記載置面の左右方向の中央よりも左右方向の一方に変位した箇所に設けられ、
前記固定式前位置決め部材は、前記載置面の左右方向の中央よりも左右方向の他方に変位した箇所に設けられ、
前記固定式前位置決め部材は、前記クレードル側コネクタよりも僅かに大きい高さで形成されている、
ことを特徴とする請求項１記載のクレードル。
【請求項１３】
前記前壁面は、前記クレードル側コネクタの高さよりも僅かに小さい高さで形成されている、
ことを特徴とする請求項１２記載のクレードル。
【請求項１４】
前記載置面に前記クレードル側コネクタの断面よりも大きな寸法の開口が設けられ、
前記クレードル側コネクタは前記筐体の内部で、前記載置面と平行する方向に変位可能でかつ前記開口の中央に位置するように付勢されて支持されている、
ことを特徴とする請求項１２記載のクレードル。
【発明の詳細な説明】
【技術分野】
【０００１】
本発明は電子機器を載置するクレードルに関する。
【背景技術】
【０００２】
デジタルスチルカメラなどの携帯用の電子機器とパーソナルコンピュータなどの外部機器との間でデータ通信を行うにあたって、電子機器と外部機器とを接続ケーブルで直接接続する場合、電子機器と接続ケーブとの間でのコネクタとの脱着操作、および、外部機器と接続ケーブルとの間でのコネクタの脱着操作が必要となり、操作性に劣る不都合があった。
そこで、電子機器を載置するクレードル（載置台）を設け、クレードルと外部機器とを専用の接続ケーブルで接続しておき、電子機器をクレードルに載置するといった簡単な操作で電子機器とクレードルを接続し、クレードルを介して電子機器と外部機器との間で通信を行うことが提案されている（特許文献１参照）。
このクレードルは、電子機器の底面が載置される載置面と、載置面の周囲に設けられ電子機器の側面箇所に当接する位置決め部材と、載置面に設けられ電子機器の底面に設けられた電子機器側コネクタに脱着可能に接続されるクレードル側コネクタと、電子機器の底面に設けられた三脚ねじ取り付け用の雌ねじに係合する位置決めピンを有している。
このクレードルに電子機器を載置する際には、電子機器の底面をクレードルの載置面に臨ませつつ、電子機器の箇所を位置決め部材に当て付けるとともに、電子機器の雌ねじに位置決めピンを係合させることで、電子機器側コネクタとクレードル側コネクタとの位置決めがなされる。そして、この状態で、電子機器の底面をクレードルの載置面に近づけることで、電子機器側コネクタをクレードル側コネクタに結合させ、電子機器の底面がクレードルの載置面に載置される。
【特許文献１】特開２００４−８０１８０号公報
【発明の開示】
【発明が解決しようとする課題】
【０００３】
ところで、電子機器は、その機種によって外形形状や外形寸法が異なり、したがって、電子機器の底面における電子機器側コネクタや三脚取り付け用の雌ねじのレイアウトも異なっている。
したがって、雌ねじに係合する位置決めピンを用いた従来のクレードルでは、電子機器の機種に応じて専用のクレードルを複数用意しなくてはならず、使い勝手が悪い不具合があった。
本発明はこのような事情に鑑みなされたものであり、その目的は、機種が異なる複数の電子機器に対して共通に使用することができ使い勝手を高める上で有利なクレードルを提供することにある。
【課題を解決するための手段】
【０００４】
上述の目的を達成するため、本発明のクレードルは、前記電子機器の底部が装着される装着部を備え、前記装着部は、前記電子機器の底面が載置される載置面と、前記載置面に設けられ前記電子機器の電子機器側コネクタに脱着可能に接続されるクレードル側コネクタと、前記装着部に設けられ前記電子機器に当接可能で前記載置面上における前記電子機器の位置決め基準箇所となる複数の位置決め部材とを備え、前記複数の位置決め部材の少なくとも一つは、少なくとも異なった第１の位置と第２の位置とに移動可能な可動式位置決め部材として設けられていることを特徴とする。
【発明の効果】
【０００５】
本発明によれば、電子機器側コネクタの位置が異なる複数の電子機器に対して１つのクレードルで対応可能となり、電子機器毎に専用のクレードルを用意する必要が無くなり、使い勝手を高める上で有利となる。
【発明を実施するための最良の形態】
【０００６】
次に、本発明の実施の形態について図面を参照して説明する。
本実施の形態では、クレードル３０に載置される電子機器が撮像装置１０である場合について説明する。
本実施の形態では、単一のクレードル３０に対して第１乃至第３の３種類の撮像装置１０Ａ、１０Ｂ、１０Ｃが装着される場合について説明する。
まず、本実施の形態のクレードル３０に装着される第１乃至第３の撮像装置１０Ａ、１０Ｂ、１０Ｃについて説明し、次いで、クレードル３０について説明する。
図１４（Ａ）は第１の撮像装置１０Ａの斜視図、（Ｂ）は第１の撮像装置１０Ａの底面図、図１５（Ａ）は第１の撮像装置１０Ａの正面図、（Ｂ）は第１の撮像装置１０Ａの側面図である。
図１６（Ａ）は第２の撮像装置１０Ｂの斜視図、（Ｂ）は第２の撮像装置１０Ｂの底面図、図１７（Ｂ）は第２の撮像装置１０Ｂの正面図、（Ｂ）は第２の撮像装置１０Ｂの側面図である。
図１８（Ａ）は第３の撮像装置１０Ｃの斜視図、（Ｂ）は第３の撮像装置１０Ｃの底面図、図１９（Ａ）は第３の撮像装置１０Ｃの正面図、（Ｂ）は第３の撮像装置１０Ｃの側面図である。
図２０（Ａ）は第１の撮像装置１０Ａの底面図、（Ｂ）は第２の撮像装置１０Ｂの底面図、（Ｃ）は第３の撮像装置１０Ｃの底面図である。
【０００７】
図１４乃至図１９に示すように、第１乃至第３の撮像装置１０Ａ、１０Ｂ、１０Ｃはデジタルスチルカメラであり、撮影した動画、静止画などのデータをメモリカードなどの記録媒体に記録し、また、記録媒体から再生するものである。
図２０（Ａ）、（Ｂ）、（Ｃ）に示すように、第１乃至第３の撮像装置１０Ａ、１０Ｂ、１０Ｃの底面１２Ｄに電子機器側コネクタ２２が設けられている。
第１乃至第３の撮像装置１０Ａ、１０Ｂ、１０Ｃの底面１２Ｄの輪郭は互いに異なっており、また、電子機器側コネクタ２２と三脚取り付け用ねじ孔２４との間隔もそれぞれ異なっている。
【０００８】
まず、第１の撮像装置１０Ａから詳細に説明する。
図１４（Ａ）、図１５（Ａ）、（Ｂ）に示すように、第１の撮像装置１０Ａは外装を構成するケース１２を有し、ケース１２は矩形板状を呈している。なお、本明細書において左右は、撮像装置１０を後方から見た状態でいうものとし、また、光学系の光軸方向で被写体側を前方といい、撮像素子側を後方という。
ケース１２は、前方を向いた前面１２Ａと、後方を向いた後面１２Ｂと、上方を向いた上面１２Ｃと、下方を向いた底面１２Ｄと、左側方を向いた左側面１２Ｅと、右側方を向いた右側面１２Ｆとを有している。
前面１２Ａの左側部寄りの箇所には、撮影光学系１４が組み込まれた沈胴式の鏡筒１６が設けられている。
鏡筒１６の後端には撮影光学系１４によって導かれた被写体像を撮像する不図示の撮像素子がケース１２内に組み込まれている。
後面１２Ｂには、前記撮像素子によって撮像された被写体像などを表示するための例えば液晶表示装置からなるディスプレイパネルが設けられている。
上面１２Ｃの左側部にはシャッターボタン２０が設けられている。
図１４（Ｂ）に示すように、底面１２Ｄには、クレードル側コネクタ３６（図１参照）に接続される電子機器側コネクタ２２と、三脚取り付け用ねじ孔２４とが設けられている。
【０００９】
次に、第２、第３の撮像装置１０Ｂ、１０Ｃについて説明する。
なお、図１６乃至図１９において図１４、図１５と同様の部分については同一の符号を付してその説明を省略し、第１の撮像装置１０Ａと異なる点についてのみ説明する。
図１６（Ａ）、図１７（Ａ）、（Ｂ）に示すように、第２の撮像装置１０Ｂは、前面１２Ａに矩形板状のレンズバリア２６が設けられ、レンズバリア２６が撮影光学系１４を覆う閉塞位置と、撮影光学系１４を露出させる開放位置とに移動可能に構成されている。
図１８（Ａ）、図１９（Ａ）、（Ｂ）に示すように、第３の撮像装置１０Ｃは、第２の撮像装置１０Ｂと同様に、前面１２Ａに矩形板状のレンズバリア２６が設けられ、レンズバリア２６が撮影光学系１４を覆う閉塞位置と、撮影光学系１４を露出させる開放位置とに移動可能に構成されている。
【００１０】
次に、上述の第１乃至第３の３つの撮像装置１０Ａ、１０Ｂ、１０Ｃが装着されるクレードル３０について説明する。
図１、図２はクレードル３０の斜視図、図３はクレードル３０の平面図、図４は図３のＡ矢視図、図５は図４のＢ矢視図である。
【００１１】
図１乃至図３に示すように、クレードル３０は第１乃至第３の３つの撮像装置１０Ａ、１０Ｂ、１０Ｃの底部が装着される装着部３２を備えている。
装着部３２は、第１乃至第３の３つの撮像装置１０Ａ、１０Ｂ、１０Ｃの底面１２Ｄが載置される載置面３４と、載置面３４に設けられ第１乃至第３の３つの撮像装置１０Ａ、１０Ｂ、１０Ｃの電子機器側コネクタ２２に脱着可能に接続されるクレードル側コネクタ３６と、装着部３２に設けられ第１乃至第３の３つの撮像装置１０Ａ、１０Ｂ、１０Ｃに当接可能で載置面３４上における第１乃至第３の３つの撮像装置１０Ａ、１０Ｂ、１０Ｃの位置決め基準箇所となる複数の位置決め部材３８とを備えている。
そして、複数の位置決め部材３８の少なくとも一つは、少なくとも異なった第１の位置Ｐ１（図９参照）と第２の位置Ｐ２（図１０、図１１参照）とに移動可能な可動式位置決め部材４０として設けられている。
また、可動式位置決め部材４０を除いた複数の位置決め部材３８は、装着部３２に固定して設けられた固定式位置決め部材４１として設けられている。
そして、可動式位置決め部材４０を第１の位置Ｐ１と第２の位置Ｐ２とに選択的に位置させる切り換え機構４２（図７、図８参照）が設けられている。
【００１２】
クレードル３０は筐体４８を有し載置面３４は筐体４８に設けられている。
切り換え機構４２は、載置面３４に設けられた切り換え操作用のつまみ４４と、筐体４８の内部に設けられつまみ４４と可動式位置決め部材４０とを連結する連結機構４６（図７、図８参照）とを含んで構成されている。
【００１３】
より詳細に説明すると、図４に示すように、筐体４８は前面と、後面と、それら前面と後面とを接続する上面４８０２を有し、前面は後面よりも大きい寸法の高さで形成され、上面４８０２は前部が後部よりも高位となるように傾斜して設けられ、載置面３４は上面４８０２の一部を構成し、したがって、載置面３４は前部が後部より高位となるように傾斜している。
【００１４】
図１、図３に示すように、クレードル側コネクタ３６は、載置面３４の右側部に設けられている。
載置面３４は、上面４８０２のほぼ前半部に設けられた凹部の底面で形成されており、したがって、載置面３４の周囲は筐体４８の壁面４８０４が位置し、言い換えると、載置面３４の周囲から前記凹部を構成する壁面４８０４が起立している。
それら壁面４８０４のうち載置面３４の後縁のほぼ右半部から起立する箇所は、上面４８０２よりも上方に突出する後壁面４８０６として形成され、また、載置面３４の右縁から起立する箇所は後壁面４８０６に続く右壁面４８０８として形成されている。また、載置面３４の前縁から起立する箇所は、均一高さの前壁面４８０９として形成されている。
【００１５】
クレードル側コネクタ３６は、載置面３４の左右方向の中央よりも左右方向の一方（右側）に変位した箇所に設けられている。
クレードル側コネクタ３６は、載置面３４の開口３４１０から載置面３４の上方に突出している。
開口３４１０は、クレードル側コネクタ３６の断面よりも大きな寸法で形成されている。
図６はクレードル側コネクタ３６の斜視図である。
図６に示すように、クレードル側コネクタ３６は、本実施の形態では、筐体４８の内部においてばね片３６０２により載置面３４の面上において変位可能に支持されており、かつ、開口３４１０の中央に位置するように付勢されている。
【００１６】
図１、図３に示すように、後壁面４８０６の左右に間隔をおいた複数箇所に、撮像装置１０の前面１２Ａに当接可能な固定式前後方向位置決め部材５０（または固定式後位置決め部材）が設けられている。
それら固定式前後方向位置決め部材５０は上下方向に延在して設けられている。
本実施の形態では、固定式前後方向位置決め部材５０は、撮像装置１０のケース１２に傷が付かないように、ケース１２よりも柔らかくまた摺動性を有する部材で形成されている。このような部材としてポリエチレン樹脂が使用可能である。
【００１７】
図１、図３に示すように、右壁面４８０８には、撮像装置１０の右側面１２Ｆに当接可能な固定式左右方向位置決め部材５２が設けられている。
固定式左右方向位置決め部材５２は上下方向に延在して設けられている。
本実施の形態では、固定式左右方向位置決め部材５２は固定式前後方向位置決め部材５０と同様に、撮像装置１０のケース１２に傷が付かないように、ケース１２よりも柔らかくまた摺動性を有する部材で形成されている。
【００１８】
また、図１、図３に示すように、前壁面４８０９の左寄りの箇所に、撮像装置１０の後面１２Ｂに当接可能な固定式前後方向位置決め部材５４（または固定式前位置決め部材）が設けられている。
固定式前後方向位置決め部材５４は上下方向に延在して設けられ、図１に示すように、固定式前後方向位置決め部材５４の上端は前壁面４８０９よりも僅かに上方に突出しており、したがって、固定式前後方向位置決め部材５４の上端は、図４、図５に示すように、上面４８０２よりも僅かに上方に突出している。
図５に示すように、本実施の形態では、固定式前後方向位置決め部材５４の上端は、クレードル側コネクタ３６の上端よりも僅かに上方の箇所に位置している。また、前壁面４８０９の高さはクレードル側コネクタ３６の高さよりも僅かに小さな寸法で形成されている。
本実施の形態では、固定式前後方向位置決め部材５４は固定式前後方向位置決め部材５０と同様に、撮像装置１０のケース１２に傷が付かないように、ケース１２よりも柔らかくまた摺動性を有する部材で形成されている。
【００１９】
可動式位置決め部材４０は、右壁面４８０８に設けられている。
可動式位置決め部材４０は、第１の位置Ｐ１で複数の固定式位置決め部材４１で定まる撮像装置１０の輪郭の内側に位置し複数の固定式位置決め部材４１の少なくとも一つに代わって位置決め基準箇所となり、第２の位置Ｐ２で前記輪郭の外側に退避する。
【００２０】
図９はクレードル３０に第１の撮像装置１０Ａを装着した状態を示す平面図、図１０はクレードル３０に第２の撮像装置１０Ｂを装着した状態を示す平面図、図１１はクレードル３０に第３の撮像装置１０Ｃを装着した状態を示す平面図である。
まず、第１の撮像装置１０Ａおよび第３の撮像装置１０Ｃを対象として説明する。
図９、図１１に示すように、可動式位置決め部材４０を除いた複数の位置決め部材３８は、装着部３２に固定して設けられ載置面３４上において撮像装置１０の前後面１２Ａ、１２Ｂにそれぞれ当接可能で前後方向の位置決め基準箇所となる固定式前後方向位置決め部材５０、５４とを有している。
また、可動式位置決め部材４０を除いた複数の位置決め部材３８は、装着部３２に固定して設けられ載置面３４上において第３の撮像装置１０Ｃの左右方向の位置決め基準箇所となる固定式左右方向位置決め部材５２を有している。
可動式位置決め部材４０は、図９に示すように、第１の位置Ｐ１で固定式左右方向位置決め部材５２で定まる第１の撮像装置１０Ａの左右方向の輪郭の内側に位置し固定式左右方向位置決め部材５２に代わって左右方向の位置決め基準箇所となる。この場合には可動式位置決め部材４０の先端面４０Ａが前記基準箇所となる。
また、可動式位置決め部材４０は、図１１に示すように、第２の位置Ｐ２で前記輪郭の外側に退避する。この場合には、固定式左右方向位置決め部材５２が撮像装置１０の右側面１２Ｆに当接して左右方向の位置決め基準箇所となる。
【００２１】
次に、第１の撮像装置１０Ａおよび第２の撮像装置１０Ｂを対象として説明する。
図９、図１０に示すように、可動式位置決め部材４０を除いた複数の位置決め部材３８は、装着部３２に固定して設けられ載置面３４上において撮像装置１０の前後面１２Ａ、１２Ｂにそれぞれ当接可能で前後方向の位置決め基準箇所となる固定式前後方向位置決め部材５０、５４とを有している。
また、可動式位置決め部材４０を除いた複数の位置決め部材３８は、装着部３２に固定して設けられ載置面３４上において第２の撮像装置１０Ｂの左右方向の位置決め基準箇所となる固定式左右方向位置決め部材５２を有している。
可動式位置決め部材４０は、図９に示すように、第１の位置Ｐ１で固定式左右方向位置決め部材５２で定まる第１の撮像装置１０Ａの左右方向の輪郭の内側に位置し固定式左右方向位置決め部材５２に代わって左右方向の位置決め基準箇所となる。この場合には可動式位置決め部材４０の先端面４０Ａが前記基準箇所となる。
また、可動式位置決め部材４０は、図１０に示すように、第２の位置Ｐ２で固定式前後方向位置決め部材５０で定まる電子機器の前後方向の輪郭の内側に位置し固定式前後方向位置決め部材５０に代わって前後方向の位置決め基準箇所となる。この場合には可動式位置決め部材４０の側面４０Ｂが前記基準箇所となる。
【００２２】
次に、第２の撮像装置１０Ｂおよび第３の撮像装置１０Ｃを対象として説明する。
図１０、図１１に示すように、可動式位置決め部材４０を除いた複数の位置決め部材３８は、装着部３２に固定して設けられ載置面３４上において第２の撮像装置１０Ｂおよび第３の撮像装置１０Ｃの前面１２Ａの位置決め基準となる固定式前後方向位置決め部材５０と、装着部３２に固定して設けられ載置面３４上において第２の撮像装置１０Ｂおよび第３の撮像装置１０Ｃの左右方向の位置決め基準箇所となる固定式左右方向位置決め部材５２とを含んでいる。
可動式位置決め部材４０は、図１０に示すように、第１の位置Ｐ１で固定式前後方向位置決め部材５０で定まる第２の撮像装置１０Ｂの前面１２Ａの輪郭の内側に位置し固定式前後方向位置決め部材５０に代わって第２の撮像装置１０Ｂの前面１２Ａの位置決め基準箇所となる。この場合には、可動式位置決め部材４０の側面４０Ｂが前記基準箇所となる。
また、可動式位置決め部材４０は、図１１に示すように、第２の位置Ｐ２で前記輪郭の外側に退避する。
【００２３】
つまみ４４は、互いに異なった第３の位置Ｐ３（図９参照）と第４の位置Ｐ４（図１０、図１１参照）とに移動操作されることで可動式位置決め部材４０が第１の位置Ｐ１（図９参照）と第２の位置Ｐ２（図１０、図１１参照）とに選択的に位置する。
つまみ４４は、図１０に示すように、第４の位置Ｐ４で複数の固定式位置決め部材４１で定まる第２の撮像装置１０Ｂの輪郭の内側に位置し複数の固定式位置決め部材４１の少なくとも一つに代わって位置決め基準箇所となる。本実施の形態では、３つの固定式前後方向位置決め部材５０に代わって第２の撮像装置１０Ｂの前面１２Ａの左箇所に当接し前位置決め基準箇所となる。
また、つまみ４４は、図１１に示すように、第４の位置Ｐ４で複数の固定式位置決め部材４１で定まる第３の撮像装置１０Ｃの輪郭の内側に位置し複数の固定式位置決め部材４１の少なくとも一つに代わって位置決め基準箇所となる。本実施の形態では、３つの固定式前後方向位置決め部材５０のうちの２つの固定式前後方向位置決め部材５０に代わって第３の撮像装置１０Ｃの前面１２Ａの左箇所に当接し前位置決め基準箇所となる。
また、つまみ４４は、図９に示すように、第３の位置Ｐ３で、固定式前後方向位置決め部材５０、５４と、可動式位置決め部材４０で定まる第１の撮像装置１０Ａの輪郭の外側に退避する。
なお、本実施の形態では、つまみ４４も、固定式前後方向位置決め部材５０と同様に、撮像装置１０のケース１２に傷が付かないように、ケース１２よりも柔らかくまた摺動性を有する部材で形成されている。
【００２４】
次に、つまみ４４と可動式位置決め部材４０とを連結する連結機構４６について説明する。
図７（Ａ）はつまみ４４が第３の位置Ｐ３に位置した状態を示す切り換え機構４２および連結機構４６の斜視図、（Ｂ）は（Ａ）の分解斜視図、図８（Ａ）はつまみ４４が第４の位置Ｐ４に位置した状態を示す切り換え機構４２および連結機構４６の斜視図、（Ｂ）は（Ａ）の分解斜視図である。
【００２５】
連結機構４６は筐体４８の内部で載置面３４の下方に設けられている。
連結機構４６は、載置面３４の下方で左右に延在する第１スライドプレート５６と、第１スライドプレート５６に連結される回転プレート５８と、回転プレート５８に連結される第２スライドプレート６０とを含んで構成されている。
可動式位置決め部材４０の下端は第１スライドプレート５６の右端に取着されている。
つまみ４４の下端は第２スライドプレート６０の左端に取着されている。
回転プレート５８は、その中央に軸受孔５８０２を有し、また、軸受孔５８０２を挟んだ箇所に軸５８０４と軸５８０６とを有している。
第１スライドプレート５６の左端に、その長手方向と平行する方向に延在する第１の長孔５６０２と、この第１の長孔５６０２と直交する方向に延在する第２の長孔５６０４が設けられている。
第２スライドプレート６０の右端に、その長手方向と平行する方向に延在する第３の長孔６００２と、この第３の長孔６００２と直交する方向に延在する第４の長孔６００４が設けられている。
【００２６】
連結機構４６は次のように組み立てられている。
回転プレート５８の軸５８０４が第１スライドプレート５６の第２の長孔５６０４に挿通され、回転プレート５８の軸５８０６が第２スライドプレート６０の第４の長孔６００４に挿通される。
この状態で、回転プレート５８は、軸受孔５８０２、第１の長孔５６０２、第３の長孔６００２に挿通された支軸（不図示）により回転可能に支持され、支軸は筐体４８で支持されている。
これにより、つまみ４４を第３の位置Ｐ３（図７（Ｂ）、図９参照）と第４の位置Ｐ４（図８（Ｂ）、図１０、図１１参照）とに移動操作すると、可動式位置決め部材４０が第１の位置Ｐ１（図７（Ａ）、図９参照）と第２の位置Ｐ２（図８（Ｂ）、図１０、図１１参照）とに選択的に位置する。
そして、筐体４８と回転プレート５８とにトグルばね６２が掛け渡され、これによりつまみ４４は第３の位置Ｐ３または第４の位置Ｐ４に選択的に位置するように付勢される。
なお、つまみ４４を第３の位置Ｐ３と第４の位置Ｐ４とに移動操作することで、可動式位置決め部材４０を第１の位置Ｐ１と第２の位置Ｐ２とに選択的に位置させる連結機構４６の構成として、上述の構造に限定されず従来公知のさまざまな構成が採用可能である。
【００２７】
本実施の形態によれば、図９、図１０、図１１に示すように、電子機器側コネクタ２２の位置が異なる第１、第２、第３の３つの撮像装置１０Ａ、１０Ｂ、１０Ｃに対して１つのクレードル３０で対応可能となる。
したがって、撮像装置毎に専用のクレードルを用意する必要が無くなり、機種が異なる複数の電子機器に対してクレードル３０を共通に使用することができ使い勝手を高める上で有利となる。
【００２８】
また本実施の形態では、載置面３４の後縁の右半部に大きい寸法の高さの後壁面４８０６が位置しており、クレードル側コネクタ３６は、載置面３４の左右方向の中央よりも左右方向の一方（右側）に変位した箇所に設けられ、固定式前後方向位置決め部材５４は、載置面３４の左右方向の中央よりも左右方向の他方（左側）に変位した箇所に設けられ、固定式前後方向位置決め部材５４は、クレードル側コネクタ３６よりも僅かに大きい高さで形成されているので、図１２、図１３に示すように、仮にユーザーが撮像装置１０を時計回り方向にひねりつつ持ち上げた場合であっても、撮像装置１０の底面１２Ｄが固定式前後方向位置決め部材５４の上端を乗り上がるので、クレードル側コネクタ３６を損傷することなく、撮像装置１０をクレードル３０から取り外すことが可能となる。本実施の形態では、クレードル側コネクタ３６は、筐体４８の内部においてばね片３６０２により載置面３４の面上において変位可能に支持されているので、ユーザーが上述のような動作を行ってもクレードル側コネクタ３６の損傷を防止する上でより有利となっている。
【００２９】
なお、本実施の形態では、電子機器がデジタルスチルカメラなどの撮像装置である場合について説明したが、本発明は撮像装置に限定されるものではなく、ＰＤＡ、携帯電話機、内蔵あるいは外付けのメモリーを用いた音楽プレーヤー、ハードディスク内蔵の音楽プレーヤーなど、パーソナルコンピュータなどの外部機器とクレードルを介してデータ通信を行う従来公知の様々な電子機器に広く適用可能である。
【図面の簡単な説明】
【００３０】
【図１】クレードル３０の斜視図である。
【図２】クレードル３０の斜視図である。
【図３】クレードル３０の平面図である。
【図４】図３のＡ矢視図である。
【図５】図４のＢ矢視図である。
【図６】クレードル側コネクタ３６の斜視図である。
【図７】（Ａ）はつまみ４４が第３の位置Ｐ３に位置した状態を示す切り換え機構４２および連結機構４６の斜視図、（Ｂ）は（Ａ）の分解斜視図である。
【図８】（Ａ）はつまみ４４が第４の位置Ｐ４に位置した状態を示す切り換え機構４２および連結機構４６の斜視図、（Ｂ）は（Ａ）の分解斜視図である。
【図９】クレードル３０に第１の撮像装置１０Ａを装着した状態を示す平面図である。
【図１０】クレードル３０に第２の撮像装置１０Ｂを装着した状態を示す平面図である。
【図１１】クレードル３０に第３の撮像装置１０Ｃを装着した状態を示す平面図である。
【図１２】クレードル３０から撮像装置１０を取り外す際の説明図である。
【図１３】クレードル３０から撮像装置１０を取り外す際の説明図である。
【図１４】（Ａ）は第１の撮像装置１０Ａの斜視図、（Ｂ）は第１の撮像装置１０Ａの底面図である。
【図１５】（Ａ）は第１の撮像装置１０Ａの正面図、（Ｂ）は第１の撮像装置１０Ａの側面図である。
【図１６】（Ａ）は第２の撮像装置１０Ｂの斜視図、（Ｂ）は第２の撮像装置１０Ｂの底面図である。
【図１７】（Ｂ）は第２の撮像装置１０Ｂの正面図、（Ｂ）は第２の撮像装置１０Ｂの側面図である。
【図１８】（Ａ）は第３の撮像装置１０Ｃの斜視図、（Ｂ）は第３の撮像装置１０Ｃの底面図である。
【図１９】（Ａ）は第３の撮像装置１０Ｃの正面図、（Ｂ）は第３の撮像装置１０Ｃの側面図である。
【図２０】（Ａ）は第１の撮像装置１０Ａの底面図、（Ｂ）は第２の撮像装置１０Ｂの底面図、（Ｃ）は第３の撮像装置１０Ｃの底面図である。
【符号の説明】
【００３１】
１０……撮像装置、１２Ｄ……底面、２２……電子機器側コネクタ、３０……クレードル、３２……装着部、３４……載置面、３６……クレードル側コネクタ、３８……位置決め部材、４０……可動式位置決め部材。
【図１】
2008166951.tif 000003
【図２】
2008166951.tif 000004
【図３】
2008166951.tif 000005
【図４】
2008166951.tif 000006
【図５】
2008166951.tif 000007
【図６】
2008166951.tif 000008
【図７】
2008166951.tif 000009
【図８】
2008166951.tif 000010
【図９】
2008166951.tif 000011
【図１０】
2008166951.tif 000012
【図１１】
2008166951.tif 000013
【図１２】
2008166951.tif 000014
【図１３】
2008166951.tif 000015
【図１４】
2008166951.tif 000016
【図１５】
2008166951.tif 000017
【図１６】
2008166951.tif 000018
【図１７】
2008166951.tif 000019
【図１８】
2008166951.tif 000020
【図１９】
2008166951.tif 000021
【図２０】
2008166951.tif 000022